(57)【要約】【課題】  複数のキャビティを有する金型において、材料を供給すべきキャビティの組み合わせを簡単に切り替えることができる金型用ランナ切替機構を提供する。【解決手段】  材料供給源と接続されている金型用ランナ切替機構において、機構は、金型の第一の対のキャビティ用の２つのランナ及び第二の対のキャビティ用の２つのランナに接続可能な３つの供給通路を備え、３つの供給通路は、１つの供給通路が第一の対のキャビティ用の２つのランナの一方に接続されている、第一の接続状態と、１つの供給通路が第二の対のキャビティ用の２つのランナの一方に接続されている、第二の接続状態と、２つの供給通路が第一の対のキャビティ用の２つのランナにそれぞれ接続されている、第三の接続状態と、２つの供給通路が第二の対のキャビティ用の２つのランナにそれぞれ接続されている、第四の接続状態のいずれかに切り替えることができるように移動可能である。【選択図】      図１
2006103080.tif 000002
【特許請求の範囲】
【請求項１】
材料供給源と接続されている金型用ランナ切替機構において、
前記機構は、金型の第一の対のキャビティ用の２つのランナ及び第二の対のキャビティ用の２つのランナに接続可能な３つの供給通路を備え、
前記３つの供給通路は、
前記３つの供給通路の中の１つの供給通路が前記第一の対のキャビティ用の２つのランナの一方に接続されている、第一の接続状態と、
前記３つの供給通路の中の１つの供給通路が前記第二の対のキャビティ用の２つのランナの一方に接続されている、第二の接続状態と、
前記３つの供給通路の中の２つの供給通路が前記第一の対のキャビティ用の２つのランナにそれぞれ接続されている、第三の接続状態と、
前記３つの供給通路の中の２つの供給通路が前記第二の対のキャビティ用の２つのランナにそれぞれ接続されている、第四の接続状態のいずれかに切り替えることができるように移動可能であることを特徴とする金型用ランナ切替機構。
【発明の詳細な説明】
【技術分野】
【０００１】
本発明は、材料供給源と接続されておりかつ金型の複数のキャビティ用のランナに供給通路を接続する、金型用ランナ切替機構に関する。
【背景技術】
【０００２】
金型の成形効率を高めるために、１つの金型に複数のキャビティが設ける方法が提案されている。この場合、例えば、図３に示すように、複数のキャビティ２１〜２４用のランナ３１〜３４は、樹脂供給源（図示せず）に接続された中央のスプール部５０から分岐した複数の供給通路に接続されている。
【０００３】
実際の成形時には、第一の対のキャビティ２１、２２と第二の対のキャビティ２３、２４の両方に樹脂を供給する場合には、第一の対及び第二の対のキャビティ２１〜２４それぞれに必要とされる量だけ分配されるように、各供給通路の断面積を調整する必要がある。また、第一の対のキャビティ２１、２２のみに樹脂を供給する場合には、第二の対のキャビティ２３、２４のランナに通じる供給通路を完全に遮断する必要がある。
【０００４】
このように、樹脂を供給すべきキャビティ２１〜２４の組み合わせを変える度に、スプール部５０における供給通路の構成を変えるために、供給通路内に挿入すべき調整入子を交換しなければならず、工数が多く、膨大な時間がかかっていた。
【発明の開示】
【発明が解決しようとする課題】
【０００５】
上記問題点に鑑み、本発明の目的は、複数のキャビティを有する金型において、材料を供給すべきキャビティの組み合わせを簡単に切り替えることができる金型用ランナ切替機構を提供することである。
【課題を解決するための手段】
【０００６】
本発明の請求項１に係る金型用ランナ切替機構によれば、材料供給源と接続されている金型用ランナ切替機構において、機構は、金型の第一の対のキャビティ用の２つのランナ及び第二の対のキャビティ用の２つのランナに接続可能な３つの供給通路を備え、３つの供給通路は、１つの供給通路が第一の対のキャビティ用の２つのランナの一方に接続されている、第一の接続状態と、１つの供給通路が第二の対のキャビティ用の２つのランナの一方に接続されている、第二の接続状態と、２つの供給通路が第一の対のキャビティ用の２つのランナにそれぞれ接続されている、第三の接続状態と、２つの供給通路が第二の対のキャビティ用の２つのランナにそれぞれ接続されている、第四の接続状態のいずれかに切り替えることができるように移動可能である。これにより、材料供給源と接続されたランナ切替機構の供給通路を移動させるだけで、供給通路と、材料を供給すべきキャビティ用ランナを接続することができる。
【発明を実施するための最良の形態】
【０００７】
以下、本発明の実施例について添付図面を参照しつつ詳細に説明する。図１は、１つの製品を成形する時の本発明のランナ切替機構１の断面図である。金型を構成する固定型及び可動型の各型面は、図１の紙面と同一平面にあり、固定型と可動型は、この平面に関して対向して配置されている。それゆえ、固定型と可動型を図示せず、キャビティのみを示す。
【０００８】
本実施例では、ペアとなる製品である第一の対のキャビティ２１、２２は、それぞれランナ３１、３２に通じており、キャビティ２１、２２とは異なる、ペアとなる製品である第二の対のキャビティ２３、２４は、それぞれランナ３３、３４に通じている。
【０００９】
本発明のランナ切替機構１は、スプール部（図示せず）を介して樹脂供給源（図示せず）に接続された回転部１０と、回転部１０を回転駆動する、回転部１０に接続された駆動部（図示せず）と、ランナ３１〜３４が接続されている、回転部１０を包囲した外壁部１４とで構成されている。なお、回転部１０は、樹脂供給源（図示せず）に通じた３つの供給通路１１〜１３を備えている。
【００１０】
これら３つの供給通路１１〜１３の各々は、駆動部により外壁部１４の内面に沿って移動可能であり、外壁部１４の内面の、ランナ３１〜３４に接続された部分に面する位置にある時に、ランナ３１〜３４に接続される、すなわち、キャビティに樹脂が流入可能である。一方、３つの供給通路１１〜１３の各々は、外壁部１４の内面の、ランナ３１〜３４に接続された部分以外の部分に面する位置にある時、ランナ３１〜３４に接続されない、すなわち、キャビティに樹脂が流入不可能である。
【００１１】
１つの製品のみを成形する場合には、第一の接続状態において、図１に示すように、１つの供給通路１１が第一の対のキャビティ用の２つのランナ２１、２２の一方（図１では２２）に接続される。また、上記製品とは別の製品を１つだけ成形する場合には、第二の接続状態において、１つの供給通路１１が第二の対のキャビティ用の２つのランナ２３、２４の一方に接続される。
【００１２】
一方、２つの製品を成形する場合には、第三の接続状態において、２つの供給通路１２、１３が第一の対のキャビティ２１、２２用の２つのランナ３１、３２にそれぞれ接続される。また、上記製品とは別の製品を２つ成形する場合には、第四の接続状態において、図２に示すように、２つの供給通路１２、１３が第二の対のキャビティ２３、２４用の２つのランナ３３、３４にそれぞれ接続される。
【００１３】
また、樹脂量調整機構４１〜４４の各々は、公知の構成であり、ランナ３１〜３４の各々に連結されており、各キャビティ２１〜２４に流入する樹脂量を調整することができる。
【００１４】
以上のように、樹脂供給源と接続されたランナ切替機構の供給通路を移動させるだけで、供給通路と、樹脂を供給すべきキャビティ用ランナを接続することができる。それにより、樹脂を供給すべきキャビティの組み合わせを簡単に切り替えることができる。
【００１５】
本実施例では、図１に示すように、外壁部１４に接続された、隣接するランナ３１〜３４の間の角度が９０°であり、かつ供給通路１１と供給通路１２、１３の間の角度が１３５°で、供給通路１２と供給通路１３の間の角度が９０°である。しかしながら、当然、供給通路１１〜１３やランナ３１〜３４が他の角度で離間していても、上記４つの接続状態を実現しうる。
【図面の簡単な説明】
【００１６】
【図１】１つの製品を成形する時の本発明の金型用ランナ切替機構の断面図である。
【図２】２つの製品を成形する時の本発明の金型用ランナ切替機構の断面図である。
【図３】従来の金型用ランナ切替機構の断面図である。
【符号の説明】
【００１７】
１    金型用ランナ切替機構
１１    供給通路
１２    供給通路
１３    供給通路
２１    第一の対のキャビティ
２２    第一の対のキャビティ
２３    第二の対のキャビティ
２４    第二の対のキャビティ
３１    キャビティ用ランナ
３２    キャビティ用ランナ
３３    キャビティ用ランナ
３４    キャビティ用ランナ
【図１】
2006103080.tif 000003
【図２】
2006103080.tif 000004
【図３】
2006103080.tif 000005